Podtech/llm-jp-corpus-v4-ja_patent huggingface dataset:
(57)【要約】      （修正有）【課題】鍋敷のみならず，コースター，マウスパッドや振動吸収クッションなどにも汎用でき，多様な使用目的を可能にする。また，変形させてあらゆる形の鍋底面にも対応できるようにする。【解決手段】シリコンゴムなどの耐熱性素材を使ったユニットどうしを組み合わせて連結できるように，ユニットの連結する接続面の一方に凹部，他方には同形の凸部を設ける。その凹凸部分を介して連結を繰り返すことによってできた隙間のないユニットの集合体をつくる。【選択図】図２
0003106461.tif 000002
【実用新案登録請求の範囲】
【請求項１】
シリコンゴムなどの耐熱性素材を使ったユニット（図１）どうしを組み合わせて連結できるように（図２），ユニットの連結する接続面の一方に凹部，他方には同形の凸部を設ける。その凹凸部分を介して連結を繰り返すことによってできた隙間のないユニットの集合体で構成された鍋敷（図３）。
【考案の詳細な説明】
【考案の詳細な説明】
【技術分野】
【０００１】本考案は本来の鍋敷としての使用以外に，コースター，マウスパッド，振動吸収クッションなど多様な使用目的にも適応できる鍋敷に関する。
【背景技術】
【０００２】従来の鍋敷は本来の鍋敷としての機能のみか，鍋つかみを兼ねる程度のものであった。サイズや形が一定なために他の使用目的にすることが制限されていた。また，楕円形や長方形の鍋底もあり，一定の形の鍋敷では多様な鍋底面に対応することが困難であった。
【考案の開示】
【考案が解決しようとする課題】
【０００３】鍋敷のみならず，コースター，マウスパッドや振動吸収クッションなどにも汎用でき，多様な使用目的を可能にする。また，変形させてあらゆる形の鍋底面にも対応できるようにする。
【課題を解決するための手段】
【０００４】シリコンゴムなどの耐熱性素材でできたユニット（図１）どうしを組み合わせて連結できるように（図２），ユニットの連結する接続面の一方に凹部，他方には同形の凸部を設ける。その凹凸部分を介して連結を繰り返すことによってできた隙間のないユニットの集つ合体をくる（図３）。
【考案の効果】
【０００５】変形が自在なため多目的な用途に利用でき，利便性かつ経済性がある。
【図面の簡単な説明】
【０００６】
【図１】ユニットの斜視図
【図２】連結された２個のユニットの平面図
【図３】ユニット集合体の平面図
【符号の説明】
【０００７】１  ユニットの凸部
２  ユニットの凹部
【図１】
0003106461.tif 000003
【図２】
0003106461.tif 000004
【図３】
0003106461.tif 000005
【手続補正書】
【提出日】平成16年5月13日(2004.5.13)
【手続補正１】
【補正対象書類名】明細書
【補正対象項目名】実用新案登録請求の範囲
【補正方法】変更
【補正の内容】
【実用新案登録請求の範囲】
【請求項１】
凹部凸部がある同じ形状の単体（ユニット）どうしをその凹凸部を介して組み合わせて隙間の無い一枚の鍋敷の機能を持つ平面を構成する。これ特徴とする鍋敷。
【手続補正書】
【提出日】平成16年7月27日(2004.7.27)
【手続補正１】
【補正対象書類名】実用新案登録請求の範囲
【補正対象項目名】全文
【補正方法】変更
【補正の内容】
【実用新案登録請求の範囲】
【請求項１】
凹部凸部がある同じ形状のユニットどうしをその凹凸部を介して組み合わせて隙間の無い一枚の鍋敷の機能を持つ平面を構成することを特徴とする鍋敷。
(57)【要約】      （修正有）【課題】ベランダのフェンス支柱支持コンクリート（「アゴ」）に舞い降りてベランダに侵入するのを防止する。【解決手段】針金ハンガーを裁断、折り曲げて、水糸等をベランダのフェンス支柱から、外側のアゴの外周に沿って、かつ、アゴの上面から８ｃｍ程度の高さを保つことの出来る形状の支持器具を作り、これをフェンス支柱に固定する。【選択図】図１
0003106467.tif 000002
【実用新案登録請求の範囲】
【請求項１】
針金ハンガーを裁断、折り曲げることにより、鳩のベランダへの飛来防止のための線類を一定の距離、高さに張るための支持器具である。
【考案の詳細な説明】
【技術の分野】
【０００１】本考案は、ベランダのフェンス支柱支持コンクリート（以下「アゴ」という）の空間に鳩が舞い降りることを防止するために、フェンスから一定の距離を保ち、かつ、アゴから一定の高さに水糸などを張ることを可能とする、針金ハンガー利用の支持器具に関するものである。
【背景技術】
【０００２】ベランダへの鳩の飛来防止のためには、建物の端に沿って水糸などの細い糸を８ｃｍ程度の高さに張り巡らせることが有効とされている。送電線の場合も、箇所により、その上部に針金を張り、この原理を利用している。
【考案の開示】
【考案が解決しようとする課題】
【０００３】ベランダのアゴは、その支持強度を保つため、一般にフェンス支柱の外面より１０ｃｍ程度外側にも厚みを持って施工されている。このため、鳩はこの空間に舞い降りてベランダに侵入することが多い。この空間に高さ８ｃｍ程度に水糸等を張り巡らすことが有効となるが、それには、何らかの支持器具が必要になる。
【課題を解決するための手段】
【０００４】針金ハンガーを裁断、折り曲げて、水糸等をベランダのフェンス支柱から外側に、アゴの外周に沿って、かつ、アゴの上面から一定の高さを保つことの出来る形状の支持器具を作り、これをフェンス支柱に固定する。
【考案の効果】
【０００５】ベランダのフェンス外側のアゴに、ドリルなどで水糸支柱の埋め込みなど困難な施工を必要とせず、廃棄物の一つである針金ハンガーを用いて作成した当該支持器具で課題解決が出来る。
【考案を実施するための最良の形態】
【０００６】針金ハンガーの吊るす湾曲部を直線に展ばし（図４のＡ）、もう一方の捻って止めている側の直線部分（図４のＢ）を垂直に折り下げる。フェンス支持支柱の周囲長を測定し、針金ハンガーの首の部位（図４のＣ）から左右に折り曲げられている箇所を起点に、周囲長の２分の１プラス１．５ｃｍ程度の長さで、針金
ハンガーの左右を切断する（図４のＤ）。これを首の部位の二股の角度のまま、直線に展ばす。この形状のものを、フェンス支持支柱に、首の部位を外側にして結わえ、アゴの外周に沿う程度の長さの箇所で図４のＡを垂直に折り上げる。図４のＡとＢの長さの和が８ｃｍとなるＡの箇所に水糸等を張るための印を付け、余分な長さは内側に折り曲げる。フェンス支柱の太さ、形状に応じて、折り曲げる箇所に印を付けた後、両端を止めるため、左右どちらかをＵ字型に曲げ、もう一方をそれにからまるよう直角に折り曲げる（図１〜３のＥ）。装着後は、直角に折り曲げた部分を横に曲げて固定する。装着に当たっては、フェンス支持支柱への傷の防止、施工のし易さを考慮して、幅３ｃｍ程度の布を１周程度巻きつけた上に行うのが適当である。器具の必要個数は、２．５ｍ程度の間隔が適当である。
【産業上の利用可能性】
【０００７】ベランダへの鳩の飛来に悩むマンション等からの要請に応じて、あらかじめ、フェンス支持支柱の寸法、形状、アゴの幅等を測定し、本考案器具を作成し、これを持参して施工する。
【図面の簡単な説明】
【０００８】
【図１】見取り図であり、四角いフェンス支持支柱にセットし、水糸を張った場合の状況を示したものである。
【図２】平面図である。
【図３】側面図である。
【図４】作成する素材との関係を示した図である。
【符号の説明】
【０００９】Ａは針金ハンガーの吊るす湾曲部を直線に展ばし、アゴの外周に沿う程度の長さで垂直に折り上げ、水糸等を張る高さの余分の長さを内側に折り曲げた部分である。
Ｂは針金ハンガーを捻って止めている側の直線部分を垂直に折り下げた部分である。
Ｃは針金ハンガーの首の部位から左右に折り曲げられている箇所である。
Ｄは針金ハンガーの切断箇所である。
Ｅは両端を止めるため、左右どちらかをＵ字型に曲げ、もう一方をそれにからまるよう直角に折り曲げた部分である。
【図１】
0003106467.tif 000003
【図２】
0003106467.tif 000004
【図３】
0003106467.tif 000005
【図４】
0003106467.tif 000006
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【実用新案登録請求の範囲】
【請求項１】
鳩がベランダに飛来することを防止するために、２本の針金を捻って構成し、針金の形状が、
１、支柱に捻って固定する部分、
２、支柱から支柱支持コンクリート外周まで導く部分、
３、導く部分から垂直に折り上げて支柱支持コンクリート面から線を一定の高さに水平に張る部分、
４、外周まで導く部分に捻り合わせてから垂直に折り下げる部分、
以上の４部分からなる鳩飛来防止線支持器具である。
(57)【要約】【課題】  本考案は、破棄以外の用途のなかった化粧品等の商品を守る緩衝材の代替品として、キャンドル素材の透明ゲルを固形状にした容器を用いることにより、外観からの商品識別を可能にし、さらに化粧品等の商品を守る緩衝材としての機能をもたせ、且つ容器本体を破棄せずキャンドルとして再利用を可能にしたものである。【解決手段】  本考案は、キャンドル素材である透明ゲルから構成され、これを固形状にし、所定の高さと幅を備えると共に商品収納用の穴を備えた容器であって、当該容器同士の開放部を合わせることにより形成される空間に化粧品等を収納させる点を特徴とすることにより、緩衝材としての機能、容器外観からの商品識別機能を果たす事が可能となる。又、化粧品等を収納していた容器空洞部分に、透明キャンドル用アルミ付芯を挿入し、透明キャンドル用補充剤を流し込むことにより、破棄せずキャンドルとして再利用する事が可能となる。【選択図】  図１
0003106486.tif 000002
【実用新案登録請求の範囲】
【請求項１】
所定の高さと幅を備えると共に商品収納用の穴を備えた容器であって、当該容器同士の穴の開放部を合わせることにより形成される空間に化粧品等の商品を収納可能であることを特徴とする容器
【請求項２】
キャンドル素材である透明ゲルから構成されてなることを特徴とする請求項１に記載の容器
【請求項３】
所定の高さと幅を備えると共に商品収納用の穴を備えた、キャンドル素材である透明ゲルから構成されてなる容器であって、当該穴にキャンドルのアルミ付芯を挿入し、更にキャンドル用補充剤を流し込むことによりキャンドルとして利用可能なことを特徴とする容器
【考案の詳細な説明】
【技術の名称】
容器
【技術分野】
【０００１】  本考案は、キャンドル素材である固形状の透明ゲルを２分割し、本体中心部に化粧品等を入れる為の空洞を設け、化粧品等商品の保護を目的とすると同時に容器外観から化粧品等の商品を識別できる特徴も備えた容器に関するものである。
【背景技術】
【０００２】  通信販売等において化粧品等を配送する場合、商品を保護する為に、段ボール等の中に商品とともに緩衝材を入れ梱包していた。
【考案の開示】
【考案が解決しようとする課題】
【０００３】  配送時の緩衝材は、それ相当のコストがかかる反面、到着後は廃棄する事が多い。さらに、配送時のダンボール箱は紙袋に比べ経済的負担も多い。従って、緩衝材の代替品としてシリコンの様な感触のキャンドル素材から成る固形状の透明ゲルを用いる事により、前述の欠点を解決し、尚且つ、廃棄する以外に利用方法のなかった緩衝材の代わりにキャンドルとして利用ができる付加価値、及び容器に収納されていながら化粧品等の商品を識別できる付加価値を特徴づけたものである。
【課題を解決するための手段】
【０００４】  本考案は、所定の高さと幅を備えると共に商品収納用の穴を備えた容器であって、当該容器同士の穴の開放部を合わせることにより形成される空間に化粧品の商品等を収納可能であることを特徴とする容器構造にする事により、化粧品等商品を守るための日常的な衝撃に耐えうる緩衝材、及び配送時の衝撃に耐えうる緩衝材としての機能をもたせる事が可能となる。【０００５】  本考案に係る容器は、キャンドル素材である透明ゲルから構成されてなることを特徴とすることにより、化粧品等商品を容器収納後、外観からの識別も可能となる。【０００６】  所定の高さと幅を備えると共に商品収納用の穴を備えた、キャンドル素材である透明ゲルから構成されてなる容器であって、当該穴にキャンドルのアルミ付芯を挿入し、更にキャンドル用補充剤を流し込むことによりキャンドルとして利用可能なことを特徴とする容器構造とする事により、破棄以外の用途のなかった緩衝材とは異なり、キャンドルとしての再利用が可能となる。【０００７】  よって、破棄以外用途のなかった緩衝材、ダンボール箱を使う事なく同等程度の経済的負担でありながら、緩衝材機能、容器外観より識別可能な機能、キャンドルとして再利用が可能な機能を兼ね備え、充分な付加価値を得る特徴などを鑑みると前述の問題点を解決している。
【考案の効果】
【０００８】  上述の様に、本考案の容器は、化粧品等商品保護を目的とする緩衝材機能、容器外観より識別可能な機能、キャンドルとして再利用が可能な機能を兼ね備え、破棄以外の用途を得られなかった緩衝材と異なり、充分な付加価値を得る効果が特徴づけられる。
【考案を実施するための最良の形態】
【０００９】  緩衝材として相当の効果を保持する為、従来の固形状透明ゲルキャンドルにに比べ熱可塑性エラストマーを多めに配合する事により、形状変化が起こりにくい形状とする。又、空洞部分は化粧品等商品形状に合わせ設定する事により、化粧品等商品に対して適度なスペースを保ち、緩衝材としての役割をより強化する。又、透明キャンドル用アルミ付芯、及び透明キャンドル用補充剤は、容器空洞及び容器全体のサイズに合わせ、透明キャンドル用アルミ付芯の幅及び透明キャンドル用補充剤の粘度を適度なサイズに設定する事により、キャンドルとしてより機能しやすい形態にする。【００１０】  以下、添付図面に従って１実施の形態を説明する。このキャンドル容器１は流動パラフィンに熱可塑性エラストマーを加え形成され、２分割したキャンドル素材の固形状透明ゲルを上下に重ねたもの、容器本体空洞２は、化粧品等商品の形状に合わせ形成された化粧品等商品の収納部分である。
容器本体空洞２に、化粧品等商品を収納することにより緩衝材としての機能、及び、容器外観より化粧品等商品を識別する機能をもたせる事が可能となる。容器本体空洞２に、化粧品等商品を収納した後、キャンドル容器１の２分割された片方を上から被せる事により緩衝材としての役割を果たした容器１ａとなる。【００１１】  キャンドルとして利用する場合は、容器１を２分割して化粧品等商品を取り出す。容器本体空洞２へ透明キャンドル用アルミ付芯３をアルミ部分を底にして差し込み、透明キャンドル用補充剤４を流し込み、固形状の透明ゲルキャンドル本体５が完成する。
【図面の簡単な説明】
【００１２】
【図１】本考案の容器の一実施例を示す正面図である。
【図２】本容器をキャンドルとして機能させる為の付属品正面図である。
【図３】本容器をキャンドルとして機能させる為の付属品正面図である。
【図４】本容器をキャンドルとして機能させた正面図である。
【符号の説明】
【００１３】  １  容器本体
２  化粧品等商品収納室
３  アルミ付透明キャンドル用芯
４  透明キャンドル用補充剤
５  固形状の透明ゲルキャンドル本体
【図１】
0003106486.tif 000003
【図２】
0003106486.tif 000004
【図３】
0003106486.tif 000005
【図４】
0003106486.tif 000006
(57)【要約】【課題】  本考案は底面が凹型であるオートバイ用かばんで、かばんとオートバイのシートとの間に隙間があり、ぐらつきが生じている為、クッション材を取り付けることにより安定をより良くしたものである。【解決手段】  かばん本体１の、底面凹型の内側左右に、クッション材２を取り付ける事により、オートバイのシート４との隙間が無くなり、かばんの取り付けが安定し収まりが良くなる。【選択図】    図３
0003106483.tif 000002
【実用新案登録請求の範囲】
【請求項１】
底部が凹型になっているオートバイ用かばんで、オートバイのシートとの隙間を無くし安定させるために、凹型の内側左右にクッション材を取り付けるもの。
【考案の詳細な説明】
【技術分野】
【０００１】  本考案は取り付けの安定を良くした、オートバイ用かばんに関するものである。
【背景技術】
【０００２】  従来のオートバイ用かばんは、シート及び荷台に載せゴム紐やベルト類のみで、固定させていたが取り付けの安定が悪かった。【０００３】  そこで取り付け安定を良くする為に、底面を凹型にしてシート及び荷台に挟み込むようにして取り付けるかばんがあるが、取り付け部に隙間があり不安定である。
【考案の開示】
【考案が解決しょうとする課題】
【０００４】  解決しようとする問題点は、取り付け状態の不安定（ぐらつき）を無くし、安定させようとするものである。
【課題を解決しようする課題】
【０００５】  本考案は、かばん底面凹型の内側の左右にクッション材を取り付ける事を主要な特徴とする。
【考案の効果】
【０００６】  本考案は、クッション材を取り付ける事により、取り付け部に隙間が無くなり安定した取り付け（ぐらつきが無くなる）が出来るものである。
走行時のかばんの脱落を防ぎ安全運転に専念できるものである。
【考案を実施するための最良の形態】
【０００７】  本考案のクッションは、防水性生地の中にスポンジ類を入れ、もしくはクッション性のある素材を、底面凹型の、内側左右に取り付けものとする。
かばん本体とオートバイは、従来のゴム紐、ベルト等で取り付ける。
【実施例】
【０００８】  以下、添付図面に従って実施例を説明する。１は耐久性のプラスチックス等適宜素材にて形成されたかばん本体、２はクッション材、３はカバン本体とオートバイとの取り付けのゴム紐類もしくはベルト類を示す、４は取り付け部分のオートバイのシート
【図面の簡単な説明】
【０００９】
【図１】本考案の本体の正面図
【図２】本考案の本体の底面図
【図３】本体の斜視図
【図４】本考案をオートバイに取り付けた実施例を示す斜視図
【符号の説明】
【００１０】１  かばん本体
２  クッション材
３  ゴム紐、ベルト類を示す
４  オートバイのシート
【図１】
0003106483.tif 000003
【図２】
0003106483.tif 000004
【図３】
0003106483.tif 000005
【図４】
0003106483.tif 000006
(57)【要約】      （修正有）【課題】扇風機としての機能や照明としてのみ光るという実用性だけでなく、光の利用量を増やし、光のコンビネーションを楽しむ事ができ美観性、娯楽性を高める事。【解決手段】フロントカバー１３もしくはモーターハウジング３に直接LEDライト８を取り付け、その光がコーテング加工されているプラステック製のプロペラ６に反射するように設計されています。ＬＥＤライト８はＬＥＤチューブ１０を通ってしっかりモーターハウジング３に固定出来ます。ＬＥＤライト８は反射板の取り付けられたプロペラ６の正面に位置し、これにより光が無駄に放射する事なくプロペラ６に反射されます。ハンドルは中心部がくびれており、握りやすさが考慮されています。また下部電池収納部の表面は平面で、ロゴ等デザインを描くことの出来るロゴスペースを有しています。【選択図】図３  
0003106482.tif 000002
【実用新案登録請求の範囲】
【請求項１】
ファン正面から光源をあてる事により、多彩に輝き反射する携帯扇風機
【請求項２】
プラスチックカバー、もしくはモーター部分に光源をつける事により、ファン正面から光を反射する事の出来る携帯扇風機
【請求項３】
本体中央部は握りやすい細さ、かつ下部にはロゴ等挿入可能なスペースを有する携帯扇風機
【考案の詳細な説明】
【技術分野】
【０００１】
本考案は、多色を楽しめる娯楽用の携帯扇風機に関するものである。
【背景技術】
【０００２】
従来の携帯扇風機とは、清涼感のみを与える物、もしくは単色で光るだけのものであった。
【特許文献１】実用新案登録第３０９５６４３号公報
【０００３】
扇風機としての機能や照明としてのみ光るという実用性だけでなく、光のコンビネーションを楽しむ事ができ娯楽性を高める事。
【考案の開示】
【考案が解決しようとする課題】
【０００４】
扇風機としての機能や照明としてのみ光るという実用性だけでなく、光の利用量を増やし、光のコンビネーションを楽しむ事ができ美観性、娯楽性を高める事。
【課題を解決するための手段】
【０００５】
本考案は、フロントカバー１３もしくはモーターハウジング３に直接LEDライト８を取り付け、その光がコーテング加工されているプラステック製のプロペラ６に反射するように設計されています。ＬＥＤライト８はＬＥＤチューブ１０を通ってしっかりモーターハウジング３に固定出来ます。ＬＥＤライト８は反射板の取り付けられたプロペラ６の正面に位置し、これにより光が無駄に放射する事なくプロペラ６に反射されます。
【０００６】
ハンドル１８は中心部がくびれており、握りやすさが考慮されています。また下部電池収納部の表面は平面で、ロゴ等デザインを描くことの出来るロゴスペース１７を有しています。
【考案の効果】
【０００７】
本考案は、フロントカバー１３もしくはモーターハウジング３に直接LEDライト８を取り付ける事が出来るので、LEDライト８を複数装着する事が可能となります。また、数色のLEDライト８を使用する事により、自由に多彩な光のバリエーションを創造する事が可能となり、光の遊び、美観性をも高めています。従来品は下からの照明の為のライトでしたが、本考案は反射板の取り付けられたプロペラ６の正面からLEDライト８が照射出来きる為、それぞれのライトの色がはっきり、より美しく表現する事が出来ます。またこれにより、光が無駄に放射されずにプロペラ６に反射し、少しの電力で幻想的な光を作りだすことが可能です。
【０００８】
軽くコンパクトなのでどこにでも持ち運べ、室内屋外を問わずに楽しむ事ができます。
【考案を実施するための最良の形態】
【０００９】
LEDライト８は三角形に配置することが望ましく、光のバランスが最も美しく、また電池の消費も抑える事が出来ます。中心部より曲線を描き放射線状に伸びるフロントカバー１３ａの一部内部に空洞を設け、その中に電気を通すワイヤーを収納します。この事で外からむき出しのワイヤーを見えなくすると共に、プロペラにワイヤーがからまる事のない様に安全性を高めています。
【００１０】
プロペラ６には、反射板が取り付けられＬＥＤライト８の光を十分に輝かせる事が出来ます。
【００１１】
携帯扇風機本体１とモーターハウジング３はプラステック製です。モーターハウジング３にある３つのＬＥＤチューブ１０は先端にＬＥＤライト８を取り付けられます。ＬＥＤチューブ１０は外に向かって、上方及び左右下斜めにあります。ＬＥＤライト８からのびるＬＥＤワイヤー１１は、ＬＥＤチューブ１０を通りモーターワイヤー４と共にワイヤーチューブ１９、フロントカバー１３ａの空洞を経て、ファンスイッチ７、ＬＥＤスイッチ１２、単三電池１５及びＣＲ電池１６へとつながります。
【００１２】
フロントカバー１３とプロペラ６の間には充分なスペースがあり、従来品のような光源の為のスペースを取る必要がありません。柔らかなくびれと、広々とした平面を持つハンドル１８は握りやすいフィット感はもちろん、安定感をもたらし長時間でも快適に使用できます。ハンドル１８前面には下部に広々とした平面、ロゴスペース１７がある為キャラクター等のプリントが可能です。
【図面の簡単な説明】
【００１３】
【図１】正面図
【図２】モーター部の拡大図
【図３】側面切断図
【図４】分解斜視図
【符号の説明】
【００１４】
１  携帯扇風機本体
２  モーター
３  モーターハウジング
４  モーターワイヤー
５  回転軸
６  プロペラ
７  ファンスイッチ
８  ＬＥＤライト
９  スイッチ及び電池につながるＬＥＤワイヤー、モーターワイヤー
１０  ＬＥＤチューブ
１１  ＬＥＤワイヤー
１２  ＬＥＤスイッチ
１３  フロントカバー
１３ａ  内部が空洞になっているフロントカバーの一部
１４  バックカバー
１５  単三電池
１６  ＣＲ電池
１７  ロゴスペース
１８  ハンドル
１９  ワイヤーチューブ
【図１】
0003106482.tif 000003
【図２】
0003106482.tif 000004
【図３】
0003106482.tif 000005
【図４】
0003106482.tif 000006
【手続補正書】
【提出日】平成16年8月31日(2004.8.31)
【手続補正１】
【補正対象書類名】実用新案登録請求の範囲
【補正対象項目名】全文
【補正方法】変更
【補正の内容】
【実用新案登録請求の範囲】
【請求項１】
正面から光源をあてる事により、多彩に輝き反射する反射板をプロペラに取り付けた事を特徴とする携帯扇風機
【請求項２】
フロントカバー、もしくはモーター部分に光源をつける事により、正面から光を反射する事の出来る携帯扇風機
【請求項３】
本体中央部（ハンドル）は握りやすい細さ、かつ下部にはロゴ等挿入可能なスペースを有する請求項１又は２に記載の携帯扇風機
(57)【要約】      （修正有）【課題】布巾にひだを設け、入り口の狭い水筒や、底の深いボトルなどの内側をふき取れるようにし、これらを衛生的に保つようにしたひだを設けた布巾の提供。【解決手段】ひだを設けた布巾は、吸湿性にとんだ布または紙を用いて、それらにひだを設けることにより入り口の狭い水筒や、底の深いボトルへの出し入れを可能にする。また、中央部分につながっている部分があることにより、干しやすく、乾きやすくなっている。これらにより容器、布巾ともに清潔に保つ。【選択図】図１
0003106487.tif 000002
【実用新案登録請求の範囲】
【請求項１】
布巾にひだを設け、入り口の狭い水筒や、底の深いボトルなどの内側をふき取れるようにしたところを特徴とする布巾。
【考案の詳細な説明】
【技術分野】
【０００１】
本考案は、入り口の狭い水筒や、底の深いボトルなどの内側を拭き取ることができる布巾に関するものである。
【背景技術】
【０００２】
入り口の狭い水筒や、底の深いボトルなどを洗っても、通常の布巾では、中に入れることができず内側を拭き取ることができなかった。さかさまにして乾かしておいても、何日もの間、内側が乾かず不衛生であった。
【考案の開示】
【考案が解決しようとする課題】
【０００３】
入り口の狭い水筒や、底の深いボトルなどは自然乾燥ではなかなか乾かず不衛生であった。また入り口が狭く、布巾を内側に入れることが困難であり、たとえ小さくした布巾を入れても、底にはりついて取り出せなくなる。布巾にひだをつけることにより中に入れやすく、また取り出しやすくし、なおかつ布巾自体も衛生的に乾かすことができるようにして前述の問題点を解決しようとするものである。
【課題を解決するための手段】
【０００４】
本考案は、布巾にひだを設けることにより入り口の狭い水筒や底の深いボトルなどの内側への出し入れを可能にし、また中央部分をつなげることにより、干しやすくし、布巾自体も衛生的に乾かせるようにしたことにより問題点を解決している。
【考案の効果】
【０００５】
上述のように、本考案のひだを設けた布巾は、今まで拭き取ることができなかった入り口の狭い水筒や、底の深いボトルなどの内側の水滴を拭き取ることができるようになり、これらが衛生的に保てる。
【考案を実施するための最良の形態】
【０００６】
布巾にひだを設けることにより、入り口の狭い水筒や、底の深いボトルの中への出し入れを可能にした。中央部分がつながっていることにより、布巾を干しやすく乾かしやすくした。また、安価な素材を用いることにより使い捨て可能なものも提供する。
【実施例】
【０００７】
図１、１は吸湿性にとんだ布又は紙でできた布巾。２は中へ出し入れしやすくするために設けたひだで、これを設けることにより底へ貼り付くことを防止し、凹凸部分も拭き取ることができる。
【０００８】
図２ａのように丸めて、容器の中へ入れる。上下左右に数回振って取り出す。このとき、ひだの一部が出てくるのでこれを引っ張る。
【０００９】
図３のように干すことができ、布巾自体も容易に乾かすことができ、清潔に保つことができる。
【図面の簡単な説明】
【００１０】
【図１】本考案のひだを設けた布巾を示す正面図である。
【図２】ａは布巾を丸めた状態を示した図、ｂは使用方法を説明するための図である。
【図３】ひだを設けた布巾の干し方を説明した図である。
【符号の説明】
【００１１】
１  布巾
２  ひだ
【図１】
0003106487.tif 000003
【図２】
0003106487.tif 000004
【図３】
0003106487.tif 000005
(57)【要約】【課題】本考案は、安全ピンを使用しないで装着できる腕章を提供する。【解決手段】穴（３）を設けた筒状体（１）の内側から１本の伸縮性のあるゴム紐（２）の両端を、穴（３）から筒状体（１）の外側に出し、穴（３）の外側に出ているゴム紐（２）２本を紐止め具（４）に通す事を特徴とする。【選択図】  図１
0003106485.tif 000002
【実用新案登録請求の範囲】
【請求項１】
穴（３）を設けた長方形の生地の長辺が輪になるように長方形の両短辺を接合し筒状体（１）にし、筒状体（１）の生地内側から１本の伸縮性のあるゴム紐（２）の両端を、穴（３）から筒状体（１）の外側に出し、穴（３）の外側に出ているゴム紐（２）の両端を紐止め具（４）に通す。
【考案の詳細な説明】
【技術分野】
【０００１】  本考案は、警察官や消防士、防災運動や交通安全運動時に参加する市民等が、識別の為に腕に巻きつける腕章に関する。
【背景技術】
【０００２】  従来、長方形の生地を輪にして腕に取り付ける腕章は、安全ピンを長方形の長辺に設けてあり、その安全ピンを使用して、着用している洋服に取り付けていた。
【考案の開示】
【考案が解決しようとする課題】
【０００３】  これには次のような欠点があった。
（イ）安全ピンで洋服に穴が開いてしまっていた。
（ロ）着ている洋服に使用する際は、片手で安全ピンを取り付けるので装着が難しい。
（ハ）安全ピンを洋服に刺す際に誤って腕に針を刺す危険性もある。
（ニ）袖が無い服装では装着できない。
（ホ）片手で装着が困難。
本考案は、これらの欠点を除くためになされたものである。
【課題を解決するための手段】
【０００４】  長方形の生地に直径５ｍｍ〜１０ｍｍぐらいの穴（３）を開ける。また、その穴はハトメで補強することが望ましい。長方形の生地の両短辺を縫製や高周波等で繋ぎ筒状体（１）にし、直径３ｍｍから７ｍｍ程度のゴム紐（２）の片端を、筒状体（１）の表面から穴（３）を通し筒状体（１）の内部でおり返し、穴（３）から出すように設ける。そして穴（３）から出ているゴム紐（２）の両端を、穴（３）より外形の大きい紐止め具（４）に通す。また、筒状体（１）の内面に穴（３）と対角に位置するあたりに、輪状体（５）を設け、ゴム紐（２）を通す。
本考案は、以上のような構成よりなるゴムで取りつける腕章である。
【考案の効果】
【０００５】  本考案のゴムで取りつける腕章は、腕章内部のゴム紐で腕に装着するので、安全ピンを使用する事無く、また安全ピンで洋服に穴をあける心配も無い。従来の安全ピンを使用して装着する腕章は袖が無ければ装着できなかったが、本考案のゴムで取りつける腕章は袖の無い洋服の時でも腕に直接装着が可能である。また、装着も腕章に腕を通し、腕章外部に出ているゴム紐を引っ張るだけなので、片手で装着が可能である。また、サイズ調節もゴム紐を引く強弱で簡単調節ができるので、細い腕の女性から太い腕の男性まで全ての方に装着が可能でき、脱着が簡単である。
【考案を実施するための最良の形態】
【０００６】（イ）長方形の生地に直径５ｍｍ〜１０ｍｍぐらいの穴（３）を開ける。
（ロ）穴はハトメで補強することが望ましい。
（ハ）長方形の生地の両短辺を縫製や高周波等で繋ぎ筒状体（１）にする。
（ニ）直径３ｍｍから７ｍｍ程度のゴム紐（２）の片端を、筒状体（１）の表面から穴（３）を通し筒状体（１）の内部でおり返し、穴（３）から出すように設ける。
（ホ）穴（３）から出ているゴム紐（２）の両端を、穴より外形の大きい紐止め具（４）に通す。
（ヘ）筒状体（１）の内面に穴（３）と対角に位置するあたりに、輪状体（５）を設け、ゴム紐（２）を通す。
【実施例】
【０００７】  以下、本考案の実施例について説明する。
本考案は、腕を筒状体（１）になった腕章の上部から入れ、筒状体の内部にあるゴム紐（２）の中に腕を通し、腕の着用したい部分まで筒状体（１）を引っ張りあげ、筒状体（１）外部に出ているゴム紐（２）両端のうち片方のみを、筒状体に通している手と反対の手で引っ張ると、筒状体（１）内部のゴム紐（２）が締まり筒状体（１）を腕に固定できる。また、ゴム紐（２）の締める強弱は腕章外部に設けた紐止め具（５）で調節が可能。
【産業上の利用可能性】
【０００８】  本考案のゴムで取りつける腕章は、警察官や消防士、防災運動や交通安全運動時に参加する市民等が、識別の為に腕に巻きつける際、腕章の中にあるゴム紐の間に腕を差し込み、腕の装着する部分まで腕章を上げ、腕章外部に出ているゴム紐の片辺を引っ張ると装着できる。また、夏場の薄い生地の洋服でも穴を空ける事無く使用でき、洋服を着ないプールや海水浴場の監視員でも着用が可能である。今まで腕章を使用していた人だけでなく、全ての人が着用可能である。
【図面の簡単な説明】
【０００９】
【図１】    本考案の斜視図である。
【図２】    本考案の上面図である。
【符号の説明】
【００１０】１  筒状体
２  ゴム紐
３  穴
４  紐止め具
５  輪状体
【図１】
0003106485.tif 000003
【図２】
0003106485.tif 000004
【手続補正書】
【提出日】平成16年8月23日(2004.8.23)
【手続補正１】
【補正対象書類名】実用新案登録請求の範囲
【補正対象項目名】全文
【補正方法】変更
【補正の内容】
【実用新案登録請求の範囲】
【請求項１】
穴（３）を設けた長方形の生地の長辺が輪になるように長方形の両短辺を接合し筒状体（１）にし、筒状体（１）の生地内側から１本の伸縮性のあるゴム紐（２）の両端を、穴（３）から筒状体（１）の外側に出し、穴（３）の外側に出ているゴム紐（２）の両端を紐止め具（４）に通す事を特徴とする、ゴムで取りつける腕章。
(57)【要約】      （修正有）【課題】使用時にボトルやカップに混入物を投下して使用する為のフタの構造を提供する。【解決手段】容器１の上部に投入物５を内蔵した部分を設置する。フタ（ア）の部分を回して切り取り容器本体のネジの部分が現れてネジ山の余裕が出るようにする。フタ（ア）の内部中央に突起部分３を設ける。フタ（Ａ）をネジ込む事により格納部が突起物によって開くように格納物投下口４の切れ目を入れる。投入・攪拌が済み、飲食等をする為にフタを取り出す時に格納部が取れるようにひっかけるため取出し用ひっかかり部分６を設ける。フタ（Ａ）の内部中央に押し込み棒を設ける。格納部はフタと一体化している。【選択図】図２
0003106478.tif 000002
【実用新案登録請求の範囲】
【請求項１】
（イ）ボトルやカップ▲１▼の上部に投入目的物を格納した部分▲２▼を設置する。
（ロ）ボトルやカップのフタにその作用により格納部分が開くように、突起物▲３▼をつける。
以上の如く飲食等の使用時に外部からの作用により容器上部の投入目的物が格納されている部分を開け容器に混入させる事が出来る構造のフタ。
【請求項２】
ボトルやカップのフタに投入目的物を格納した部分▲２▼を設置した請求項１のフタ。
【請求項３】
ボトルやカップの上部の内側に突起物▲８▼を付けた請求項１の目的の構造のもの。
【考案の詳細な説明】
【考案の詳細な説明】
【産業上の利用分野】
【０００１】  この考案は飲食等の直前にボトルやカップの容器等混入物を投下攪拌して使用する為のものである。
【背景技術】
【０００２】  従来は添加物等が既に混入されて販売されていた為日光等で変化変色したり味が微妙に変り不適当であった。
【考案が解決しようとする課題点】
【０００３】  本案はその欠点を除く為、使用直前に投入目的物を混入させ使用するものである。
【課題を解決するための手段】
【０００４】  いまその解決手段を図面で説明すれば
（イ）ボトルやカップ▲１▼の上部に投入目的物格納部分▲２▼を設置する。
（ロ）ボトルやカップ▲１▼のフタ▲Ａ▼の内部に突起物▲３▼▲７▼を設置する。
（ハ）ボトルやカップ▲１▼のフタに投入目的物格納部分▲２▼を一体化設置する。
（ニ）ボトルやカップ▲１▼の上部の内側に突起物▲４▼を設置する。
【作用】
【０００５】  本案は以上のような構造であるから、これを使用する時はフタ▲Ａ▼の部分を回転して投入目的物格納部分▲２▼を突起部分▲３▼▲７▼により開け▲４▼、投入物▲５▼をボトルやカップ▲１▼に受けて容器の水等と攪拌し使用、飲食等をすればよい。
【実施例】
【０００６】    又、本案は次の如くも出来る。
（イ）容器のフタに一体化して投入物を格納▲２▼する
（ロ）容器上部の内側に突起部分▲８▼をもうけ、フタを回して投入して使用する。
【考案の効果】
【０００７】  このような考案であるから、飲食等直前に投下混入、攪拌して使用する為常に新鮮に飲用出来る。お茶はきれいな緑色になりお茶そのものだった。ミソ汁は携帯に便利である。
【図面の簡単な説明】
【０００８】
【図１】本考案の正面図
【図２】本考案の内部構造透視図
【図３】本考案の作用図
【図４】正面図
【図５】透視図
【図６】作用図
【図７】本考案図４のフタ上部斜視図
【図８】透視図
【図９】作用図
【符号の説明】
【０００９】▲１▼  ボトルやカップの容器
▲２▼  投下用目的物格納部分
▲３▼  突出部分
▲４▼  格納物投下口
▲５▼  投下混入物質
▲６▼  取出し用ひっかかり部分
▲７▼  押し込み用突出部分
▲８▼  投下用目的物格納部切開突出部
【図１】
0003106478.tif 000003
【図２】
0003106478.tif 000004
【図３】
0003106478.tif 000005
【図４】
0003106478.tif 000006
【図５】
0003106478.tif 000007
【図６】
0003106478.tif 000008
【図７】
0003106478.tif 000009
【図８】
0003106478.tif 000010
【図９】
0003106478.tif 000011
(57)【要約】      （修正有）【課題】スープカレー・シチューを器具を持ち替えることなく１本の器具で食べることができる。【解決手段】スープカレー・シチューを食べる為の、スプーンの行為、フォークの行為、やわらかいものを切る行為を１本の器具に集約した。【選択図】図１
0003106475.tif 000002
【実用新案登録請求の範囲】
【請求項１】
スープカレー又はシチューを食べる為の、専用スプーン。
【考案の詳細な説明】
【考案の詳細な説明】
【考案が解決しようとする課題】
【０００１】  従来、スープカレー及びシチューを食べるときには、スプーンとフォークの２本あるいは、スプーンとフォークとナイフの３本の器具を使っていた為に、料理の具材を食べるときとスープを食べるときとに、それぞれ器具を持ち替える必要があった。
【課題を解決するための手段】
【０００２】  上記の課題の器具の持ち替えをなくする為に、器具１本にスプーンの行為・フォークの行為・やわらかいものを切る行為を集約した。
【考案の効果】
【０００３】  器具１本で、料理の具材とスープとを一緒に食べるスプーンの行為、料理の具材のみを食べるフォークの行為、料理の具材を切る行為が器具を持ち替えることがなくできる。
【図面の簡単な説明】
【図１】スープカレー・シチュー用スプーンの正面図・側面図・断面図
【符号の説明】
１フォーク行為の部分
２やわらかいものを切る行為の部分
【図１】
0003106475.tif 000003
【手続補正書】
【提出日】平成16年8月26日(2004.8.26)
【手続補正１】
【補正対象書類名】実用新案登録請求の範囲
【補正対象項目名】全文
【補正方法】変更
【補正の内容】
【実用新案登録請求の範囲】
【請求項１】
柄部の一端に備えられるスプーン部と、このスプー部の先側に設けられるフォーク部と、前記スプーン部の縁部に沿って設けられるナイフ部とを備えていることを特徴とする飲食用スプーン。
【手続補正２】
【補正対象書類名】明細書
【補正対象項目名】全文
【補正方法】変更
【補正の内容】
【考案の詳細な説明】
【技術分野】
【０００１】
本考案は、スープカレー又はシチューを食べる時に有効な飲食用スプーンに関する。
【背景技術】
【０００２】
従来、スープカレー又はシチュー等の料理を食べる時には、スープを飲むためのスプーンと、具材を食べるためのフォークとの２本、そして具材を切るためのナイフとの３本の器具を使っている。
従って、従来ではスープカレー又はシチュー等の料理の具材を食べる時には夫々の器具を持ち替える必要があった。
【考案の開示】
【考案が解決しようとする課題】
【０００３】
本考案が解決しようとする課題は、１本の器具でスープを飲んだり、具材を食べたり、そして軟らかい具材を切ったりすることができる飲食用スプーンを提供することにある。
【課題を解決するための手段】
【０００４】
上記課題を解決するために本考案は、柄部の一端に備えられるスプーン部と、このスプー部の先側に設けられるフォーク部と、前記スプーン部の縁部に沿って設けられる軟らかいものを切るためのナイフ部とを備えていることを特徴とする。
【考案の効果】
【０００５】
本考案の請求項１記載によれば、スープカレー又はシチュー等の料理を食べる時に、スープを飲む行為をスプーン部で、具材を食べる行為をフォーク部で、そして軟らかい具材を切る行為をナイフ部で行うことができる。つまり、これらの各行為を１本の器具にて可能となる。
従って、本考案によれば、従来のように持ち替えることなく、１本の器具に集約してスープを飲んだり、具材を食べたり、軟らかい具材を切ることができる飲食用スプーンを提供することができる。
【考案を実施するための最良の形態】
【０００６】
本考案の最良の実施形態を図１に基づいて説明する。
【実施例１】
【０００７】
図面は、本考案の飲食用スプーンを示し、１はフォーク部、２はナイフ部、３はスプーン部、４は柄部である。
【０００８】
フォーク部１は、柄部４の一端に備えられる略楕円形状を呈するスプーン部３の先側に、図示のように形成されている。
【０００９】
ナイフ部２は、軟らかい具材を切るためのもので、図示のように、上記スプーン部３の一側縁部に沿って形成されている。
【図面の簡単な説明】
【００１０】
【図１】本考案の飲食用スプーンを示し、（ａ）は平面図、（ｂ）は同側面図、（ｃ）は（ａ）のｃ−ｃ線断面図、（ｄ）は（ａ）のｄ−ｄ線断面図
【符号の説明】
【００１１】
１：フォーク部
２：ナイフ部
３：スプーン部
４：柄部
【手続補正３】
【補正対象書類名】図面
【補正対象項目名】全図
【補正方法】変更
【補正の内容】
【図１】
0003106475.tif 000004
(57)【要約】      （修正有）【課題】バックバンド（踵バンド）とサンダル形式の２通りの履き方ができるスポーツサンダルを提供する。【解決手段】サンダル本体１の上部両側面に、サンダル面２がついており、そのサンダル面２の後縁部の両側面下辺外に、帯状のバックバンド３，３を止美錠７で回動自在に固定し、前記それぞれのバックバンド３，３の自由端を着脱自在に結合できるようにして成る。【選択図】図１
0003106473.tif 000002
【実用新案登録請求の範囲】
【請求項１】
サンダル本体１とバックバンド（踵バンド）３からサンダル本体１にはサンダル面２がついており、その両方の側面にバックバンド（踵バンド）３を止美錠７で、固定し、止美錠７によってバックバンド（踵バンド）３は着用する時、上下に動くようにして成るスポーツサンダル。
【考案の詳細な説明】
【技術分野】
【０００１】  この考案はスポーツサンダルのバックバンド（踵バンド）とサンダル形式の２通りの履き方ができるスポーツサンダルに関するものである。
【背景技術】
【０００２】  前足の両脇、踝あたりから踵掛紐を設けたサンダルにおいて、踵掛紐はベルト状になっておりベルトの先には、マジックテープが装着されている踵掛紐はバンド面（足の甲部分）の上にのせてサンダル履として履く形式、踵掛紐を踵にかけて、バックバンドサンダルとして履く形式と２通りの形式で着用できる。
【考案の開示】
【考案が解決しようとする課題】
【０００３】  従来のサンダルは益々多様性が求められ、消費者の選択のためには多種の組み合わせの靴を作らなければならない。
【課題を解決するための手段】
【０００４】  本発明のサンダルは、バックバンド（踵バンド）換え可能であって、次の要素から形成される。１つはサンダルのバンド面にバックバンドのヒモをのせ、サンダル履きにして履く方法、もう１つはバックバンド（踵バンド）を踵にかけて履く方法、２通りの履き方が出来る。消費者が好きな履き方に組み合せて履けるサンダルを提供しようとするものである。
【考案の効果】
【０００５】  履用者は、バックバンド３を必要に応じ簡便に着脱できる。履用者がバックバンド３を第１図のように、サンダル面２の上にバックバンド３をのせて、サンダル履きにして履ける。もう１つの履き方は、バックバンド３を第３図のように足の踵にバックバンド３があたるようにして履く。履用者の足にフィット感を与えるサンダルバンドとして利用でき簡易な操作だけで、バックバンド３を簡便にサンダルの締具として利用することができる。【０００６】  また履用者の好みに応じて、サンダル履、バックバンド履を選択することができる他、バックバンドを容易に着脱できるので、組み合わせを、自由に楽しむことができる、履用者は好みに応じて、サンダルを個性的に装飾することができる。
【考案を実施するための最良の形態】
【０００７】  サンダル台又は底部にサンダル底部外側から内外にサンダル面（甲の部分）に沿ってヒモ状のバックバンド３を２ヶ所有頭形状の美錠で固定することにより、バックバンド３が自由自在に第１図のようにサンダル履きになったり、第３図のようにバックバンド形式で履いたりできる、バックバンド形式では踵にヒモが密着し足を固定する、履用者はこれによって足の動きがはげしくなっても足からサンダルがずれ落ちたりしないサンダルの脱落を防止する。
【実施例】
【０００８】  本発明を、図３に従って説明する。サンダル本体１は、通常のサンダル底４と中敷５と同じ構造からできている。サンダル面（甲の部分）２の両側面にはバックバンド（踵バンド）３を止美錠７で止めてある。着用する時には、その時に応じてバックバンド（踵バンド）３を上下できるので踵部６から足がずれることがない足の長さにあわせて固定できる、尚バックバンド（踵バンド）３には、先端部８にはマジックテープがついており着脱が簡単になっている。サンダル底部４は皮革、合成ゴム、ウレタンソール、塩ビソール、ＥＶＡソール、プラスティック、スポンジソールなどの材料を用いて成型し適宣接着したり、美錠止めしたりすることによって造ることができる。【０００９】  以下実施図面によって説明すれば、第１図は踵バンドを用いない状態を示した本考案の斜視図であり、第３図は踵バンドを着用して使用するときの状態を示す本考案の側面図である。この考案の機能性スポーツサンダルは、その時の必要に応じて第１図、第３図のように使い分けができる。
【産業上の利用可能性】
【００１０】  この考案は機能性スポーツサンダルに関するものである。
【図面の簡単な説明】
【図１】  踵バンドをサンダル面（甲の部分）にのせて使用するときの状態を示した機能性スポーツサンダルの斜視図である。
【図２】  踵バンドをサンダル面（甲の部分）にのせて使用するときの状態を示した機能性スポーツサンダルの正面図である。
【図３】  踵バンドを足の踵にかけて使用するときの状態を示した機能性スポーツサンダルの側面図である。
【符号の説明】
１  サンダル本体
２  サンダル面（甲の部分）
３  バックバンド（踵バンド）
４  サンダル底
５  中敷
６  踵部
７  止美錠
【図１】
0003106473.tif 000003
【図２】
0003106473.tif 000004
【図３】
0003106473.tif 000005
【手続補正書】
【提出日】平成16年8月4日(2004.8.4)
【手続補正１】
【補正対象書類名】実用新案登録請求の範囲
【補正対象項目名】全文
【補正方法】変更
【補正の内容】
【実用新案登録請求の範囲】
【請求項１】
サンダル本体１の上部両側面に、サンダル面２がついており、そのサンダル面２の後縁部の両側面下辺外に、帯状のバックバンド３、３を止美錠７で回動自在に固定し、前記それぞれのバックバンド３、３の自由端を着脱自在に結合できるようにして成る、スポーツサンダル。
(57)【要約】      （修正有）【課題】運動機能、体力減退、精神機能障害に適した、自力の養生で知力、体力、筋力、健康回復訓練器具を提供する。【解決手段】木製の同型状からなる本体１，２を対向させてボルトで接続し、本体の握り部分の内面側にズレ防止の波状型凹凸を設けた。【選択図】図２
0003106479.tif 000002
【実用新案登録請求の範囲】
【請求項１】
木製の同型形状からなる本体(1)と(2)を対向させてボルトで接続し、本体の握り部分の内面側にズレ防止の波状型凹凸を設けた、知力、体力、筋力の運動回復訓練器具。
【請求項２】
本体は、木製同型形状の特殊性を勘案し、各種運動競技の準備運動に活用、また機能障害、精神障害で、運動不足の、補助器具として継続使用で血管筋肉をたかめ、血流、血行促進の効果を発揮出来る、運動回復訓練器具。
【考案の詳細な説明】
【技術の分野】
【０００１】
本考案は運動機能、体力減退、精神機能障害に適した、自力の養生で知力、体力、筋力を健康回復訓練器具に関するものである。
【背景技術】
【０００２】
従来の技術は、鉄、バネ、プラスチック等の金属類の器具を利用した連続力量が無ければ、出来ないものであるうえ、健康的、経済的にも負担が大きく、強度を調整することが困難で、機能障害者、老人等には不向きであった。
【考案の開示】
【考案が解決しようとする課題】
【０００３】
本考案は、握力、筋力、アップに強力な器具を別々に使い分けて、実行されていた、筋力アップの訓練を、一つの器具で同時に鍛えることが出来るものである。
【課題を解決するための手段】
【０００４】
本考案は、同型形状である(1)と(2)をボルトで接続し対向本体を、両手で握り左右交互に、逆半回転運動させ、知力体力筋力の回復訓練器具である。
【考案の効果】
【０００５】
本考案は、両手でおおむね水平に握り、引いて押して交互に逆半回転運動させ、知力体力筋力もとより、背筋腹筋を同時に鍛えることができます木製である為、軽くそして環境に優しく、お年寄り、子供また運動する方は役立ちます、ユニークな半回転で、楽しく愉快に出来る健康回復訓練器具。
【考案を実施する為の最良の形態】
【０００６】
本考案は、木製本体(1)と(2)をボルトで接続し、対向本体(1)と(2)に４指と親指で握り、本体内面側にズレ防止の、波状の凹凸を設け、着手と手触り良く、安全性、経済性、使う人に応じた健康回復訓練器具である。
【図面の簡単な説明】
【０００７】
【図１】本考案の構成を示す図である。
【図２】本考案の使用例を示す図である。
【図１】
0003106479.tif 000003
【図２】
0003106479.tif 000004
【手続補正書】
【提出日】平成16年8月13日(2004.8.13)
【手続補正１】
【補正対象書類名】実用新案登録請求の範囲
【補正対象項目名】全文
【補正方法】変更
【補正の内容】
【実用新案登録請求の範囲】
【請求項１】
木製の同型形状からなる本体(1)と(2)を対向させてボルトで接続し、本体の握り部分の内面側にズレ防止の波状型凹凸を設けた、知力、体力、筋力の運動回復訓練器具。
(57)【要約】      （修正有）【課題】視覚障害者、健常者が正確に押印できる印鑑を提供する。【解決手段】印鑑本体１の印字面２の真下部分３から垂直に、より印字面に近い側面位置に、押印するときの正しい位置決めポイントとなるように、くぼみ穴４をつけることで視覚障害者の添え手の位置決め補助部分とする。また健常者には、くぼみ穴で押印視界を改善し、印先を覗き込むことなく正確に押印ができるようにする。【選択図】図１
0003106477.tif 000002
【実用新案登録請求の範囲】
【請求項１】
印鑑本体の印字面の真下部分から垂直に、より印字面に近い側面位置に、押印時の位置決めとなるくぼみ穴をつけることで、視覚障害者の押印に伴う添え手の位置決め補助部分とし、健常者はそのくぼみ穴で押印視界を改善し、印先を覗き込むことなく正確に押印ができるようにする。
【考案の詳細な説明】
【技術分野】
【０００１】本考案は、視覚障害者及び健常者を問わず正確に押印するための考案である。
【背景技術】
【０００２】印鑑本体側面部分を平に削り取ることにより、印字面の上下の違いや正しく押印することを意図した技術はあった。
【考案の開示】
【考案が解決しようとする課題】
【０００３】印鑑本体側面を平に削り取った部分は、押印するときに人差し指を添える部分ではあるが、視覚障害者の片手押印には位置決めとしての正確さに無理がある。また健常者にとっては、指先の感覚は多少敏感であっても視覚ほど正確ではないので、より正確に押印するために印先を覗き込む労力が発生し押印効率が悪い。
【課題を解決するための手段】
【０００４】印鑑本体１の印字面２の真下部分３から垂直に、より印字面に近い側面位置に、押印時の位置決めになるくぼみ穴４を付けることで、視覚障害者の添え手の位置決め補助部分とする。また健常者には、くぼみ穴で押印視界を改善し、印先を覗き込むことなく正確に押印ができるようにする。
【考案の効果】
【０００５】印鑑本体側面の下側一方にくぼみ穴を付けたことで、視覚障害者には添え手の押印位置決めの補助になり、健常者は、印先を覗き込むことなく正確に押印するための押印視界の改善になる。また両者共に、くぼみ穴の位置が下側にくる認識を持つことで、印字面の逆さ押しの失敗は発生しない。
【考案を実施するための最良の形態】
【０００６】印鑑本体の印字面真下部分から垂直に、より印字面に近い側面位置にくぼみ穴を付けることで、押印の正確な位置決めポイントとしての触覚及び視覚能力を高める。またそのくぼみ穴は、構造上印鑑本体側面に出っ張り部分を出さない処理なので、キャップ式の印鑑にも対応できる。
【図面の簡単な説明】
【０００７】
【図１】印鑑本体のくぼみ穴の位置を示した断面図である。
【図２】印字面正面と印鑑本体のくぼみ穴の位置を示した側面図である。
【符号の説明】
【０００８】１  印鑑本体
２  印字面
３  真下部分
４  くぼみ穴
【図１】
0003106477.tif 000003
【図２】
0003106477.tif 000004
【手続補正書】
【提出日】平成16年7月27日(2004.7.27)
【手続補正１】
【補正対象書類名】実用新案登録請求の範囲
【補正対象項目名】全文
【補正方法】変更
【補正の内容】
【実用新案登録請求の範囲】
【請求項１】
この印鑑は、印鑑本体の印字面の真下部分から、垂直により印字面に近い側面位置に押印時の位置決めとなるくぼみ穴をつけることで、視覚障害者の押印に伴う添え手の位置決め補助部分とし、健常者はそのくぼみ穴で押印視界を改善し、印先を覗き込むことなく正確に押印ができるようにした印鑑である。